【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
血管内超音波画像を作成する方法であって、
第一周波数で音響エネルギーを超音波振動子から放出し、前記超音波振動子にて前記音響エネルギーの後方散乱を受け取ることによって、前記第一周波数での超音波データを含むデータベクトルの第一セットを複数の第一周波数データベクトルから形成する工程であって、前記複数の第一周波数データベクトルは前記第一周波数での撮像視野における１以上のアイテムを表し、各データベクトルは超音波データを含む、工程、
第二周波数で音響エネルギーを超音波振動子から放出し、前記超音波振動子にて前記音響エネルギーの後方散乱を受け取ることによって、前記第二周波数での超音波データを含むデータベクトルの第二セットを複数の第二周波数データベクトルから形成する工程であって、前記複数の第二周波数データベクトルは前記第二周波数での前記撮像視野における１以上のアイテムを表し、各データベクトルは超音波データを含み、前記第一周波数での音響エネルギーは前記第二周波数での音響エネルギーとは異なる時間に放出され、前記第一周波数は前記第二周波数より大きい、工程、
第一変更データセットを形成するために、第一フィルタを前記データベクトルの第一セットに適用する工程、
第二変更データセットを作成するために、第二フィルタを前記データベクトルの第二セットに適用する工程、
前記第一および第二変更データセットに基づいて、前記撮像視野における１以上のアイテムの周波数応答を決定する工程、
前記撮像視野における前記１以上のアイテムの周波数応答に基づいて、ディスプレイに前記血管内超音波画像を出力する工程、を含む方法。
【請求項２】
前記撮像視野における前記１以上のアイテムの周波数応答を決定することが
前記撮像視野におけるアイテムが前記第二周波数と比較して前記第一周波数での前記音響エネルギーに対して増加を示しているかどうかを確かめるために、前記第一変更データセットと前記第二変更データセットとの差を計算する工程を含む、請求項１に記載の方法。
【請求項３】
前記撮像視野における前記１以上のアイテムの周波数応答を決定することが、
前記撮像視野におけるアイテムが前記第二周波数と比較して前記第一周波数での前記音響エネルギーに対して減少を示しているかどうかを確かめるために、前記第二変更データセットと前記第一変更データセットとの差を計算する工程を更に含む、請求項２に記載の方法。
【請求項４】
前記第一周波数での音響エネルギーが、前記第二周波数での音響エネルギーとして血管内において前記超音波振動子の同じ縦位置で放出され、受け取られる、請求項１に記載の方法。
【請求項５】
前記取得した複数の第一および第二周波数データベクトルは同じ縦位置周辺で分配され、隣り合うデータベクトルが、前記第一および第二周波数で超音波データを含むことが交互に起こる、請求項４に記載の方法。
【請求項６】
前記データベクトルの第一セットを形成することが更に、前記第一セットにおける第一周波数データベクトルの第一数を含むことを含み、前記データベクトルの第二セットを形成することが更に、前記第二セットにおける第二周波数データベクトルの第二数を含むことを含み、前記第一数と前記第二数が異なる、請求項１に記載の方法。
【請求項７】
前記第一フィルタを前記データベクトルの第一セットに適用することが、前記第一変更データセットを形成するために平滑化フィルタを前記データベクトルの第一セットに適用することを含み、前記第二フィルタを前記データベクトルの第二セットに適用することが、前記第二変更データセットを形成するために平滑化フィルタを前記データベクトルの第二セットに適用することを含む、請求項１に記載の方法。
【請求項８】
前記平滑化フィルタを前記データベクトルの第一セットに適用することが、
第一ピラミッドを構成することを含み、前記第一ピラミッドの第一レベルが、第一解像度での画像を含み、前記第一ピラミッドの第二レベルが、第二解像度での画像を含み、前記第一解像度が前記第二解像度より高い解像度であり、
前記第一ピラミッドの前記第一レベルで含まれた前記画像は前記データベクトルの第一セットに基づき、前記第一ピラミッドの前記第二レベルで含まれた前記画像は前記第一ピラミッドの前記第一レベルで含まれた前記画像に基づいており、
前記平滑化フィルタを前記データベクトルの第二セットに適用することが、
第二ピラミッドを構成することを含み、前記第二ピラミッドの第一レベルが第一解像度での画像を含み、前記第二ピラミッドの第二レベルが第二解像度での前記画像を含み、前記第一解像度が前記第二解像度より高い解像度であり、
前記第二ピラミッドの前記第一レベルで含まれた前記画像は前記データベクトルの第二セットに基づき、前記第二ピラミッドの前記第二レベルで含まれた前記画像は前記第二ピラミッドの前記第一レベルで含まれた前記画像に基づいている、請求項７に記載の方法。
【請求項９】
前記データベクトルの第一セットに適用された前記平滑化フィルタがガウスぼかしフィルタで、前記第一ピラミッドがガウシアンピラミッドであり、前記データベクトルの第二セットに適用された前記平滑化フィルタがガウスぼかしフィルタで、前記第二ピラミッドがガウシアンピラミッドである、請求項８に記載の方法。
【請求項１０】
前記第二フィルタを前記データベクトルの第二セットに適用することが、前記平滑化フィルタの適用後に鮮鋭化フィルタを前記データベクトルの第二セットに適用する工程を更に含む、請求項７に記載の方法。
【請求項１１】
前記第一フィルタを前記データベクトルの第一セットに適用することが、前記第一ガウシアンピラミッドに基づいて、第一ラプラシアンピラミッドを構成するために、鮮鋭化フィルタを前記平滑化フィルタの適用後に適用することを更に含み、
前記第二フィルタを前記データベクトルの第二セットに適用することが、前記第二ガウシアンピラミッドに基づいて、第二ラプラシアンピラミッドを構成するために、鮮鋭化フィルタを前記平滑化フィルタの適用後に適用することを更に含む、請求項９に記載の方法。
【請求項１２】
前記血管内超音波画像を前記ディスプレイに出力することが、前記第一および第二ラプラシアンピラミッドの組み合わせに基づいて前記血管内超音波画像を構成することを含む、請求項１１に記載の方法。
【請求項１３】
前記血管内超音波画像を前記ディスプレイに出力することが、前記ディスプレイに画素用強度出力を適用することを含み、前記画素用強度出力は、商を得るために前記第二変更データセットを前記第一変更データセットで割り算し、前記商を前記データベクトルの第一セットで掛け算することにより、計算される、請求項１に記載の方法。
【請求項１４】
前記血管内超音波画像を前記ディスプレイに出力することが、前記ディスプレイに画素用強度出力を適用することを含み、前記画素用強度出力は、積を得るために前記第一変更データセットと前記第二変更データセットとの差を重み付け係数で掛け算し、前記積を前記データベクトルの第一セットから引き算することにより、計算される、請求項２に記載の方法。
【請求項１５】
前記ディスプレイに適用した画素用強度出力を三色出力の第一および第二色の明度として使用することと、
前記データベクトルの第一セットを前記三色出力の第三色の明度として使用することとを更に含む、請求項１４に記載の方法。
【請求項１６】
前記血管内超音波画像を前記ディスプレイに出力することが、
三色出力の第一および第二色の出力値を計算する工程であって、前記出力値が、前記データベクトルの第一セットと、前記第二変更データセット及び前記第一変更データの差と重み付け係数との積と、の合計に等しい、工程と、
前記データベクトルの第一セットを前記三色出力の第三色の明度として使用する工程と、
を含む、請求項３に記載の方法。
【請求項１７】
前記血管内超音波画像を前記ディスプレイに出力することが、
三色出力の第一および第二色の出力値を計算する工程であって、前記出力値が、１）前記データベクトルの第一セットと、２）前記第二変更データセット及び前記第一変更データの差、重み付け係数、並びに、前記データベクトルの第二セットの積と、の合計に等しい、工程と、
前記データベクトルの第一セットを前記三色出力の第三色の明度として使用する工程と、
を含む、請求項３に記載の方法。
【請求項１８】
前記撮像視野にある２アイテムの界面を決定するために、前記第一変更データセットと前記第二変更データセットとの差を使用することを更に含む、請求項２に記載の方法。
【請求項１９】
前記界面が血管境界と血管内の血液との界面であると決定され、前記第二周波数と比較して、前記第一周波数における前記音響エネルギーに反応して増加を示している前記血液に基づいて、血管内の血液の位置が決定される、請求項１８記載の方法。
【請求項２０】
血管内の血液とプラークを識別するために、前記第二周波数と比較して前記第一周波数での前記音響エネルギーに応答して増加の程度を使用することと、
前記画像にある前記血液とプラークを区別するために前記血管内超音波画像を前記ディスプレイに出力することを更に含む、請求項２に記載の方法。
【請求項２１】
超音波振動子を有する血管内撮像装置を含むカテーテル組立体であって、
第一周波数でエネルギーを放出し、前記エネルギーの後方散乱を受け取り、撮像データを作成するよう構成され、前記撮像データが前記第一周波数での撮像視野における１以上のアイテムを表現する複数の第一周波数データベクトルを含み、各データベクトルが超音波データを含み、
第二周波数でエネルギーを放出し、前記エネルギーの後方散乱を受け取り、撮像データを作成するよう構成され、前記撮像データが前記第二周波数での前記撮像視野における１以上のアイテムを表現する複数の第二周波数データベクトルを含み、各データベクトルが超音波データを含み、前記第一周波数でのエネルギーが前記第二周波数でのエネルギーとは異なる時間に放出され、前記第一周波数が前記第二周波数よりも大きい、
カテーテル組立体と、
画像ディスプレイ領域を含むユーザーインターフェースであって、ユーザーからの入力を受け取るよう構成される、ユーザーインターフェースと、
前記血管内撮像装置および前記ユーザーインターフェースと通信し、少なくとも１つのプロセッサを含む撮像エンジンであって、
前記カテーテル組立体から前記複数の第一周波数データベクトルおよび前記複数の第二周波数データベクトルを受け取り、
前記複数の第一周波数データベクトルから、前記第一周波数での超音波データを含むデータベクトルの第一セットを形成し、
前記複数の第二周波数データベクトルから、前記第二周波数での超音波データを含むデータベクトルの第二セットを形成し、
前記少なくとも１つのプロセッサを使用して、第一変更データセットを形成するために第一フィルタを前記データベクトルの第一セットに適用し、
前記少なくとも１つのプロセッサを使用して、第二変更データセットを形成するために第二フィルタを前記データベクトルの第二セットに適用し、
前記少なくとも１つのプロセッサを使用して、前記第一および第二変更データセットに基づいて前記撮像視野における１以上のアイテムの周波数応答を決定し、
前記ユーザーインターフェースに前記画像ディスプレイ領域に出力するための血管内超音波画像を伝達するよう構成され、前記画像が前記撮像視野における前記１以上のアイテムの周波数応答に基づいている、
撮像エンジンと、
を含む、撮像システム。
【請求項２２】
前記ユーザーインターフェースが更にカテーテル組立体インターフェースを含み、前記ユーザーインターフェースが、前記カテーテル組立体に対して前記カテーテル組立体インターフェースを通じて前記超音波振動子を回転するよう構成するように、前記ユーザーインターフェースが前記カテーテル組立体を通じて前記カテーテル組立体および前記超音波振動子と結合する、請求項２１に記載の撮像システム。
【請求項２３】
前記カテーテル組立体内の前記血管内撮像装置を変換するよう構成された変換装置を更に含む、請求項２２に記載の撮像システム。
【請求項２４】
コンピュータ実行可能命令を格納した非一時的コンピュータ可読ストレージ品であり、少なくとも１つのプログラマブルプロセッサに
第一周波数での撮像視野において１以上のアイテムを表す複数の第一周波数データベクトルを受け取らせ、各データベクトルは超音波データを含み、
第二周波数での前記撮像視野において１以上のアイテムを表す複数の第二周波数データベクトルを受け取らせ、各データベクトルは超音波データを含み、第一周波数データベクトルは第二周期データベクトルとは異なる時間に受け取られ、前記第一周波数は前記第二周波数より大きく、
前記複数の第一周波数データベクトルから、前記第一周波数で超音波データを含むデータベクトルの第一セットを形成させ、
前記複数の第二周波数データベクトルから、前記第二周波数で超音波データを含むデータベクトルの第二セットを形成させ、
第一変更データセットを形成するために、第一フィルタを前記データベクトルの第一セットに適用させ、
第二変更データセットを形成するために、第二フィルタを前記データベクトルの第二セットに適用させ、
前記第一および第二変更データセットに基づき、前記撮像視野における１以上のアイテムの周波数応答を決定させ、
ディスプレイに出力するために血管内超音波画像を伝えさせ、前記画像が、前記撮像視野における前記１以上のアイテムの周波数応答に基づいている、ストレージ品。